(57)【要約】【課題】開き扉を建て付ける箇所が、たとえ開き扉と天井側の上枠部間に殆んど隙間のない場合であっても、開き扉を簡単に扉枠に吊り込むことのできる自閉手段を備えたピボットヒンジの吊り金具ユニットを提供する。【解決手段】開き扉Ｄの吊り込み時、開き扉の上端から突出させて枢着金具１５で保持したピボット軸１８の先端軸部１９を調整カム２５の回り止め形状の位置決め穴２６に嵌合し、その調整カムを、調整穴３１に任意の嵌め合い角度位置で厚さ方向上下に摺動可能に嵌め合わしてジョイント３０を調整カムに連結することにより開き扉の復帰位置を選択する一方、ジョイントの係合部３２を扉枠Ｆの木口１０に固定した支持ブラケット２０のアーム部２２ａに横向きに係合させて、上ヒンジ部の吊り金具ユニットＨ２を組み立てる構成とする。【選択図】          図１
2008127740.tif 000002
【特許請求の範囲】
【請求項１】
上下のヒンジ部にそれぞれ備えたピボット軸で開き扉を軸支して扉枠に回動可能に吊り込む一方、開閉時に前記開き扉の開操作を途中で止めると、該開き扉を閉方向へ自動的に回動して所定の復帰位置に復帰させると共に、その復帰位置を選択的に設定可能とする自閉手段を備えたピボットヒンジにおいて、該ピボットヒンジの前記上ヒンジ部を構成する吊り金具ユニットであって、
前記開き扉の上端に埋設した嵌合筒に前記ピボット軸を嵌挿し、該ピボット軸の先端軸部を前記開き扉の上端から突出させて保持する枢着金具と、
前記扉枠の木口の上側に固着し、その木口に固着したときに該木口に対し横向きに突出するアーム部を有した支持ブラケットと、
中心に前記ピボット軸の先端軸部と互いが回転不能に嵌め合う回り止め穴形状の位置決め穴を有する一方、外周には、少なくとも前記開き扉の選択的な復帰位置と対応する数の角部を形成してなる調整カムと、
一端側に、該調整カムが厚さ方向上下に摺動可能に貫挿する調整穴を、前記調整カムの外形状に合わせた穴形状に穿設し、他端側に、前記支持ブラケットのアーム部と係合する係合部を設けてなるジョイントとを備え、
前記開き扉の吊り込み時は、前記ピボット軸の先端軸部を前記調整カムの位置決め穴に嵌合し、その調整カムに前記調整穴を任意の嵌め合い角度位置で嵌め合わして前記ジョイントを連結することにより前記開き扉の復帰位置を選択する一方、前記ジョイントの係合部を前記支持ブラケットのアーム部に横向きに係合させて組み立ててなることを特徴とする、ピボットヒンジの吊り金具ユニット。
【発明の詳細な説明】
【技術分野】
【０００１】
本発明は、上下ヒンジ部にそれぞれ備えたピボット軸で開き扉を軸支して扉枠に回動可能に吊り込む一方、開閉時に開き扉の開操作を途中で止めると、開き扉を閉方向へ自動的に回動して所定の復帰位置に復帰させると共に、その復帰位置を選択的に設定可能とする自閉手段を備えたピボットヒンジであって、特に、そのピボットヒンジの上ヒンジ部を構成する吊り金具ユニットに関する。
【背景技術】
【０００２】
従来、開き扉用のヒンジの中には、例えば図７に示すように、目立たずに装着され見栄えが良いことから、上下のヒンジ部１・２に備えたピボット軸３・４で開き扉５を軸支して回動可能に扉枠６の上下隅部に吊り込む所謂ピボットヒンジが多くなっている。また、この種のピボットヒンジとしては、開閉時、開き扉５の開操作を途中で止めると、開き扉５が閉方向へ自動的に回動して所定の復帰位置へ戻るように、円筒カム７等を用いた構造の自閉手段を備えるグレビィティヒンジ型（特許文献１参照）や、図示しないが、コイルばねの捩れ作用を利用したスプリングヒンジ型のものがよく知られている。更に、従来の図示ピボットヒンジでは、下ヒンジ部２のＬ形支持金具８上のピボット軸４周りに、複数の調整突起８ａを設ける一方、円筒カム７の鍔状底部に調整突起８ａと対応する複数の調整穴を設け、それら調整突起８ａと調整穴とを周方向の任意の嵌め合い角度位置で嵌め合せて、開き扉５の前記復帰位置を選択的に設定できる構造になっている。
【特許文献１】実開昭６１−１３７７６６号公報
【発明の開示】
【発明が解決しようとする課題】
【０００３】
ところが、従来のピボットヒンジでは、たとえば図７中鎖線で示すように扉枠６の上枠部６ａと、開き扉５との間に隙間Ｓが少ない場合に、施工現場で、開き扉５を扉枠６に吊り込もうとしても、開き扉５から上向きに突出する上ヒンジ部１のピボット軸３の突端が障害になって、開き扉５を扉枠６に吊り込み難く、隙間Ｓの狭さによっては、吊り込み不能な場合があるという課題があった。
【０００４】
一方で、開き扉５は、例えば部屋の通気性に配慮し、床面９との間に所望の隙間をあけて吊り込む場合など、吊り込み時に、建付け条件に応じて、扉枠６に対する建付け高さ位置を微調整する必要があり、そのために、ピボットヒンジも開き扉５の建付け高さ位置に合わせて、ヒンジ取付位置を施工現場で微調整して取り付ける必要がある。ところが、従来の図示ピボットヒンジでは、その取付位置を微調整しようとすると、構造上、調整突起８ａと調整穴との嵌め合い位置もズレてしまい、その結果、開き扉５の復帰位置を設定することができなくなるため、開き扉５の建付け高さ位置に応じて取付位置を調整して上下ヒンジ部１・２を装着することができないという課題があった。
【課題を解決するための手段】
【０００５】
そこで、上述した課題を解決すべく、請求項１に記載の発明は、たとえば以下に示す図示実施の形態のとおり、上下のヒンジ部にそれぞれ備えたピボット軸１４・１８で開き扉Ｄを軸支して扉枠Ｆに回動可能に吊り込む一方、開閉時に前記開き扉Ｄの開操作を途中で止めると、該開き扉Ｄを閉方向へ自動的に回動して所定の復帰位置に復帰させると共に、その復帰位置を選択的に設定可能とする自閉手段を備えたピボットヒンジＨにおいて、該ピボットヒンジＨの前記上ヒンジ部を構成する吊り金具ユニットＨ２であって、前記開き扉Ｄの上端に埋設した嵌合筒１７に前記ピボット軸１８を嵌挿し、該ピボット軸１８の先端軸部１９を前記開き扉Ｄの上端から突出させて保持する枢着金具１５と、前記扉枠Ｆの木口１０の上側に固着し、その木口１０に固着したときに該木口１０に対し横向きに突出するアーム部２２ａを有した支持ブラケット２０と、中心に前記ピボット軸１８の先端軸部１９と互いが回転不能に嵌め合う回り止め穴形状の位置決め穴２６を有する一方、外周には、少なくとも前記開き扉Ｄの選択的な復帰位置と対応する数の角部２５ａを形成してなる調整カム２５と、一端側に、該調整カム２５が厚さ方向上下に摺動可能に貫挿する調整穴３１を、前記調整カム２５の外形状に合わせた穴形状に穿設し、他端側に、前記支持ブラケット２０のアーム部２２ａと係合する係合部３２を設けてなるジョイント３０とを備え、前記開き扉Ｄの吊り込み時は、前記ピボット軸１８の先端軸部１９を前記調整カム２５の位置決め穴２６に嵌合し、その調整カム２５に前記調整穴３１を任意の嵌め合い角度位置で嵌め合わして前記ジョイント３０を連結することにより前記開き扉Ｄの復帰位置を選択する一方、前記ジョイント３０の係合部３２を前記支持ブラケット２０のアーム部２２ａに横向きに係合させて組み立ててなることを特徴とする。
【発明の効果】
【０００６】
請求項１に記載の発明によれば、ピボットヒンジの上ヒンジ部を構成する吊り金具ユニットは、開き扉を吊り込むとき、枢着金具側のジョイントの係合部に、扉枠側に固定の支持ブラケットのアーム部を、天井側の上枠部に沿って横向きに係合すれば組み立てられるため、開き扉を建て付ける箇所が、たとえ開き扉と上方の上枠部との間に殆んど隙間のない場合であっても、何ら障害となるものがなく、開き扉を簡単に扉枠に組み付けることができる。
【０００７】
更に、請求項１に記載の発明によれば、ピボットヒンジの上ヒンジ部を構成する吊り金具ユニットは、調整カムを、支持ブラケットに枢着金具を連結するジョイントの調整穴に厚さ方向上下に摺動可能に嵌合させた構造であるため、建付け高さ位置を調整しながら開き扉を扉枠に吊り込むときでも、この建付け位置の微調整高さに応じて、調整カムは、支持ブラケットを介して扉枠側に固定のジョイントに対し、調整穴を通して上下に摺動することから、調整カムとジョイントの調整穴との嵌め合いが外れることなく、そのまま開き扉の建付け高さ位置の微調整動作に追従することができる。その結果、本発明では、調整カムとジョイントの調整穴との嵌め合いで、開き扉の閉時の復帰位置を選択して設定することができるようにする一方で、開き扉を、そのように所望の復帰位置に設定した状態のまま、建付け条件に応じて建付け高さ位置を微調整しながら、扉枠に対し簡単に吊り込むことができる。
【発明を実施するための最良の形態】
【０００８】
以下、図面を参照しつつ、本発明の実施の最良形態について説明する。
【０００９】
図４は、本発明の一例であるピボットヒンジの吊り金具ユニットを用いて開き扉を扉枠に吊り込んだ状態において示す扉周りの組立斜視図である。図中符号Ｄは、例えばラバトリーブースに設置の開き扉、Ｆは開き扉Ｄを支持するパネル状の扉枠、Ａは扉枠Ｆを面一に連結支持する上枠部としての笠木、Ｈは一対の上下ヒンジ部を備えたピボットヒンジである。ピボットヒンジＨは、下ヒンジ部としての吊り金具ユニットＨ１と、上ヒンジ部としての本発明に係る吊り金具ユニットＨ２とからなり、開き扉Ｄと扉枠Ｆとの間の下部側に吊り金具ユニットＨ１を組み付け、上部側に吊り金具ユニットＨ２を組み付けて、開き扉Ｄを扉枠Ｆに対し所定の建付け位置に開閉可能に吊り込む構成になっている。
【００１０】
下ヒンジ部の吊り金具ユニットＨ１は、扉枠Ｆに有する木口１０の下側にねじ止めする支持金具１１と、開き扉Ｄの下端にねじ止めする枢着金具とで構成する。支持金具１１（図５参照）は、水平受板部１１ａと垂直取付板部１１ｂを有したＬ型アングル材からなり、水平受板部１１ａには回り止め形状の軸受穴１３を穿設してなる。一方、枢着金具は、開き扉Ｄの下端に埋設した嵌合筒内に、先端軸部１４ａが軸受穴１３の穴形状と同じ回り止め形状をなすピボット軸１４を嵌挿し、先端軸部１４ａを開き扉Ｄの下端から突出させて保持する。そして、吊り金具ユニットＨ１は、枢着金具側のピボット軸１４の先端軸部１４ａを、扉枠Ｆ側に固定の支持金具１１の軸受穴１３に嵌着して組み立てると、ピボット軸１４を支点として開き扉Ｄを回動可能に軸支する構造になっている。なお、図示しないが、枢着金具の嵌合筒内には、開き扉Ｄが閉方向に回動すると、制動力が働いて開き扉Ｄを減速するオイルダンパのような制動手段が組み込まれている、とする。
【００１１】
他方、上ヒンジ部の吊り金具ユニットＨ２は、図１〜図３に示すように、開き扉Ｄの側に組み付ける枢着金具１５と、扉枠Ｆの側に組み付ける支持ブラケット２０と、それら枢着金具１５と支持ブラケット２０を連結する調整カム２５およびジョイント３０とによって構成してなる。
【００１２】
枢着金具１５は、複数のねじ穴を穿設した取付板１６の一端に嵌合筒１７を固着して垂設し、その上端開口１７ａを通して嵌合筒１７内にピボット軸１８を、軸回転可能に嵌挿する一方、その先端軸部１９が上端開口１７ａから所定長さ突出した位置で上下方向に抜け止めして挿設してなる。ピボット軸１８は、先端軸部１９を、調整カム２５の軸受穴２６の穴形状に対応させて、外周にそれぞれ対称な一対の円弧面と平面１９ａ・１９ａを設けた回り止め形状に成形し、一対の平面１９ａ・１９ａが取付板１６の長さ方向と平行な向きになるように、嵌合筒１７内で位置決め保持されてなる。そこで、吊り金具ユニットＨ２では、枢着金具１５の嵌合筒１７内に不図示のねじりばねを組み込み、該ねじりばねの一端をピボット軸１８に掛け止める一方、他端を嵌合筒１７の一部に掛け止めてスプリングヒンジ構造を形成し、これにより、開き扉Ｄの開時、その開操作を途中で止めると、上記ねじりばねのばね復帰力で開き扉Ｄを閉方向へ自動的に回動して所定の復帰位置へ復帰させる自閉手段を構成している。かかる構造の枢着金具１５は、開き扉Ｄの上端角寄りにあけた取付用筒穴１２内に嵌合筒１７を嵌め込んで埋設すると共に、取付板１６を上端面にねじ止めして開き扉Ｄに組み付ける。
【００１３】
支持ブラケット２０は、複数のねじ穴を穿設した取付プレート２１の図中上端に、これと直交する向きにコ型の受け具２２を固着してなる。受け具２２は、平行な二股状に突出するアーム部２２ａを有する。アーム部２２ａには、それぞれ止めねじ２３を螺合するねじ穴２４が設けられている。かかる支持ブラケット２０は、取付プレート２１を、扉枠Ｆの木口１０の上側における所定高さ位置にねじ止めし、アーム部２２ａを、天井側の笠木Ａと平行な水平な横向きに突設する。
【００１４】
調整カム２５は、中心に、ピボット軸１８の先端軸部１９と互いが回転不能に嵌め合うように、該先端軸部１９の形状に合わせて、内周にそれぞれ対称な一対の円弧面と平面２６ａ・２６ａを有した回り止め穴形状をなす位置決め穴２６を穿設する。一方、外周には、複数の山形をなす角部２５ａ…を周方向に等間隔に設け、全体を縦長なギヤ状筒型に成形してなる。図示例の調整カム２５は、周方向へ３０度単位の等間隔に角部２５ａ…を設けて合計１２個形成している。
【００１５】
ジョイント３０は、長さ方向一端部側に、調整カム２５を嵌合する調整穴３１を、厚さ方向に貫通させて設ける。一方、他端側には、支持ブラケット２０のアーム部２２ａをそれぞれ係合させる係合部３２を設けると共に、その係合部３２を横断する向きに止めねじ２３を螺合するねじ穴３３を設けてなる。調整穴３１は、調整カム２５が厚さ方向上下に摺動可能に嵌合できるように、調整カム２５の外形状に合わせてギヤ筒穴状に穿設している。図示例の係合部３２は、支持ブラケット２０のアーム部２２ａが抜き差し可能な幅狭な係合溝によって形成している。
【００１６】
さて、以上の如く構成したピボットヒンジＨで開き扉Ｄを扉枠Ｆに吊り込む場合、上ヒンジ部の吊り金具ユニットＨ２は、開き扉Ｄの上端角寄りにおいて、ピボット軸１８の先端軸部１９を、調整カム２５の位置決め穴２６に嵌合させて、調整カム２５を、開き扉Ｄに対し所定基準位置に位置決めセットする。それから、この基準位置にセットした調整カム２６に、図２に示すように、調整穴３１を周方向に任意の嵌め合い角度位置で嵌め合せてジョイント３０を連結し、これにより、開き扉Ｄを自閉したときの復帰位置を選択する。図示例では、ジョイント３０が開き扉Ｄ上でそれと平行な向きとなる嵌め合い角度位置で調整カム２６に調整穴３１を嵌め合わせ、これにより、開き扉Ｄの自閉時に開き扉Ｄが扉枠Ｆと面一となる全閉状態になる位置を選択し、これを復帰位置として設定している。
【００１７】
しかる後、図５に示すように、開き扉Ｄを持ち上げて、扉枠Ｆの木口１０の下側に固定した支持金具１１の軸受穴１３に、枢着金具のピボット軸１４の先端軸部１４ａを嵌着させて下ヒンジ部の吊り金具ユニットＨ１を組み立て、該吊り金具ユニットＨ１で開き扉Ｄを回動可能に扉枠Ｆの下側に組み付けて支える。
【００１８】
それから、上ヒンジ部の吊り金具ユニットＨ２を組み立てて開き扉Ｄを扉枠Ｆに吊り込む。そのときは、下ヒンジ部の吊り金具ユニットＨ１で支えて開き扉Ｄを立てながら、水平な笠木Ａに沿ってジョイント３０を支持ブラケット２０側へ近づけて、そのまま横向きに係合部３２にアーム部２２ａを係合させる。そして、ねじ穴２４・３３に止めねじ２３を通してジョイント３０を支持プラケット２０にねじ止めして吊り金具ユニットＨ２を組み立てる。こうして上下ヒンジ部の吊り金具ユニットＨ１・Ｈ２で開き扉Ｄをピボット軸１４・１８を中心として回動可能に扉枠Ｆに吊り込む。従って、本発明において、開き扉Ｄを吊り込むとき、吊り金具ユニットＨ２は、枢着金具１５側のジョイント３０の係合部３２に支持ブラケット２０のアーム部２２ａを笠木Ａに沿って横向きに重ねて係合すれば組み立てられるため、図示の如く開き扉Ｄを建て付ける箇所が図示の如く開き扉Ｄと上方の笠木Ａとの間に殆んど隙間のない場合であっても、何ら障害となるものがなく、簡単に開き扉Ｄを吊り込むことができる。
【００１９】
そこで、開き扉Ｄの使用時、図示ピボットヒンジＨでは，開き扉Ｄを上記ねじりばねのばね復帰力に抗して開方向へ押し回すと、開き扉Ｄを開けることができる。一方、閉止時は、この開き扉Ｄの開操作を途中で止めると、上記ねじりばねのばね復帰力によって開き扉Ｄを閉方向へ自動的に回動して所定の復帰位置へと復帰させることができる。図示例では、開き扉Ｄは扉枠Ｆと面一な全閉状態となる復帰位置に復帰して完全に閉止する。また、このように開き扉Ｄが閉方向に回動すると、前記制動手段の制動力が働いて開き扉Ｄを減速し、完全に閉止するとき、開き扉Ｄは、扉枠Ｆ等の戸当り部位に強く衝突することなく、静かに閉止する。
【００２０】
図示例のピボットヒンジＨでは、閉止時、上述のように開き扉Ｄを減速しながら回動して復帰位置へ自動的に復帰して全閉するが、そのように開き扉Ｄを閉止する場合、例えばトイレの不使用状態を表示するために、開き扉Ｄを半開き状態にしたいときは、吊り金具ユニットＨ２において、調整カム２５とジョイント３０の調整穴３１との嵌め合い角度位置を変更して開き扉Ｄの復帰位置を設定し直せばよい。図示例の調整カム２５は、外周に１２個の角部２５ａ…が形成されているので、一角部分だけ周方向へジョイント３０を回転して調整穴３１に調整カム２５を噛み合わせれば、３０度回転した状態となり、開き扉Ｄの復帰位置を、扉枠Ｆの板面に対し３０度開いた半開き状態に簡単に設定することができる。
【００２１】
ところで、開き扉Ｄは、通常、床面との間に通気用に所望高さの隙間をあけて吊り込む場合など、建付け条件に応じて、扉枠Ｆに対する建付け高さ位置を、施工現場で微調整しながら吊り込むことが必要である。しかし、本発明に係る吊り金具ユニットＨ２では、調整カム２５を、支持ブラケット２０に枢着金具１５を連結するジョイント３０の調整穴３１に、厚さ方向上下に摺動可能に嵌合させた構造であるため、上述の如く建付け高さ位置を調整しながら開き扉Ｄを扉枠Ｆに吊り込むときでも、この建付け位置の微調整高さに応じて、調整カム２５は、支持ブラケット２０を介して扉枠Ｆ側に固定のジョイント３０に対し、調整穴３１を通して上下に摺動することから、調整カム２５とジョイント３０の調整穴３１との嵌め合いが外れることなく、そのまま開き扉Ｄの建付け高さ位置の微調整動作に追従することができる。その結果、本発明では、調整カム２５とジョイント３０の調整穴３１との嵌め合いで、開き扉Ｄの閉時の復帰位置を選択して設定することができるようにする一方で、開き扉Ｄを、そのように所望の復帰位置に設定した状態のまま、建付け条件に応じて建付け高さ位置を微調整しながら、扉枠Ｆに対し簡単に吊り込むことができる。
【００２２】
なお、図示例の吊り金具ユニットＨ２では、ジョイント３０は、長さ方向他端側に係合溝からなる係合部３２を設け、開き扉Ｄを扉枠Ｆに吊り込むとき、係合溝３２に笠木Ａに沿って横向きに支持ブラケット２０のアーム部２２ａを差し込むことにより係合させて、支持プラケット２０に取り付ける構成であった。しかし、本発明では、ジョイント３０の係合部３２を支持ブラケット２０のアーム部２２ａに、笠木Ａのような上枠部に沿って横向きに係合させて取り付ける構成であれば、上記図示例に限られず、たとえば図６に示すように、ジョイント３０の他端部において、幅方向両側に切欠き段部を設け、これを係合部３２とし、開き扉Ｄを扉枠Ｆに吊り込むとき、係合段部３２に笠木Ａに沿って横向きに支持ブラケット２０のアーム部２２ａを重ねて当てがい、両アーム部２２ａで係合段部３２を挟み込むことにより係合させて、支持プラケット２０に取り付ける構成とすることもできる。
【００２３】
更に、図示例の吊り金具ユニットＨ２では、調整カム２５は、外周に複数の山形角部２５ａ…を設けた縦長なギヤ状筒型に形成する一方、ジョイント３０の調整穴３１は、調整カム２５の外形状に合わせてギヤ筒穴状に形成し、開き扉Ｄの吊り込み時、調整カム２５に調整穴３１を任意の嵌め合い角度位置で嵌め合せて開き戸Ｄの復帰位置を選択的に設定する構成であった。しかし、本発明では、調整カム２５に調整穴３１を任意の嵌め合い角度位置で嵌め合せて開き戸Ｄの復帰位置を選択的に設定できる構成であれば、調整カムは、上記ギヤ状筒型とした図示例に限られず、例えば外周が多面角で形成された縦長な多角ナット状に形成する一方、ジョイント３０の調整穴３１を、この他例の調整カム２５の外形状に合わせて多角筒穴状に形成することもできる。
【図面の簡単な説明】
【００２４】
【図１】本発明の一例であるピボットヒンジの上ヒンジ部を構成する吊り金具ユニットの分解斜視図である。
【図２】上ヒンジ部の吊り金具ユニットの組立斜視図である。
【図３】上ヒンジ部の吊り金具ユニットを組立状態で示す縦断面図である。
【図４】上下ヒンジ部の吊り金具ユニットにより開き扉を扉枠に吊り込んだ状態で示す扉周りの組立斜視図である。
【図５】上下ヒンジ部の吊り金具ユニットにより開き扉を扉枠に吊り込む状態を示す扉周りの斜視図である。
【図６】ジョイントの他例を含む上ヒンジ部の吊り金具ユニットを示す分解斜視図である。
【図７】従来のピボットヒンジによる開き扉の吊り込み状態を、一部を断面にして示す扉周りの正面図である。
【符号の説明】
【００２５】
Ａ                笠木
Ｄ                開き扉
Ｆ                扉枠
Ｈ                ピボットヒンジ
Ｈ１              下ヒンジ部の吊り金具ユニット
Ｈ２              上ヒンジ部の吊り金具ユニット
１０              扉枠の木口
１４・１８        ピボット軸
１４ａ・１９      ピボット軸の先端軸部
１５              枢着金具
１７              嵌合筒
２０              支持ブラケット
２２ａ            支持ブラケットのアーム部
２５              調整カム
２５ａ            調整カム外周の角部
２６              調整カムの位置決め穴
３０              ジョイント
３１              ジョイントの調整穴
３２              ジョイントの係合部
【図１】
2008127740.tif 000003
【図２】
2008127740.tif 000004
【図３】
2008127740.tif 000005
【図４】
2008127740.tif 000006
【図５】
2008127740.tif 000007
【図６】
2008127740.tif 000008
【図７】
2008127740.tif 000009